(57)【特許請求の範囲】
【請求項１】
編組グランドパッキン中の複数本の編み糸において、それらの編み糸の中には、膨張黒鉛テープの外周全体が接着剤や融着材を使用することなく網目を有したニット編み又は編組体よりなる補強線材のみで被覆されており、かつ、前記膨張黒鉛テープは、前記膨張黒鉛テープの幅方向の中間部を残して幅方向の両端部を編み糸の幅方向内方に向けて互いに対向されるようにさらに前記両端部の端縁の少なくとも一方と前記膨張黒鉛テープの中間部との間に離隔空間が形成されるように作成したものを使用して、前記膨張黒鉛テープが幅方向に縮まるように折り曲げられており、かつ、この折り曲げられた膨張黒鉛テープの幅方向の両端部が折り返された編み糸が備えられていることを特徴とするグランドパッキン。
【請求項２】
ひねり加工したグランドパッキン中の複数本の編み糸において、それらの編み糸の中には、外周全体を露出させた膨張黒鉛テープの内部に長手方向に向け補強線材が埋設されており、かつ、前記膨張黒鉛テープは、前記膨張黒鉛テープの幅方向の中間部を残して幅方向の両端部を編み糸の幅方向内方に向けて互いに対向されるようにさらに前記両端部の端縁の少なくとも一方と前記膨張黒鉛テープの中間部との間に離隔空間が形成されるように作成したものを使用して、前記膨張黒鉛テープが幅方向に縮まるように折り曲げられており、かつこの折り曲げられた膨張黒鉛テープの幅方向の両端部が折り返されている編み糸が備えられていることを特徴とするグランドパッキン。
【発明の詳細な説明】
【技術分野】
【０００１】
本発明は、流体機器の軸封部などに用いるグランドパッキンに関する。
【背景技術】
【０００２】
従来、編組されたグランドパッキン中の複数本の編み糸として、たとえば特公平６−２７５４６号公報及び特開平６−７４３４６号公報に記載された編み糸が知られている。この編み糸は、膨張黒鉛テープが幅方向に縮まるように折り曲げられており、その折り曲げられた膨張黒鉛テープの外周全体が接着剤や融着材を使用することなく網目を有したニット編み又は編組体よりなる補強材のみで被覆されているものである。
【発明の開示】
【発明が解決しようとする課題】
【０００３】
ところで、膨張黒鉛テープは、引張りやねじりに弱いので、グランドパッキン中の編み糸の中には、不本意にも、膨張黒鉛テープの幅方向の端部に亀裂（割れ）が発生していることがある。そして、この亀裂の数が多くなればなるほど、また、この亀裂が大きければ大きいほど、さらに、この亀裂の発生している編み糸の本数が増えれば増えるほど、グランドパッキンのシ−ル性能に悪化をきたすことになる。
【０００４】
また、グランドパッキンの製造直後に上記亀裂がなくても、製造後において、グランドパッキンを所定寸法に圧縮成形したり、リング状に圧縮成形したりした時に上記亀裂が発生することもあり、また、装置にセットとしてシールする時に強い締め付け力を受けて上記亀裂が発生することもある。勿論、グランドパッキンの製造直後に上記亀裂が発生していれば、上記圧縮成形や締め付け力によって、上記亀裂が拡大するという事態になる。
【０００５】
そこで、本発明は、不本意に起こる上記亀裂によるシ−ル性能の悪化を抑制することができるグランドパッキンを提供することを目的としている。
【課題を解決するための手段】
【０００６】
上記目的を達成するため、請求項１に記載の発明に係るグランドパッキンは、編組グランドパッキン中の複数本の編み糸において、それらの編み糸の中には、膨張黒鉛テープの外周全体が接着剤や融着材を使用することなく網目を有したニット編み又は編組体よりなる補強線材のみで被覆されており、かつ、前記膨張黒鉛テープは、前記膨張黒鉛テープの幅方向の中間部を残して幅方向の両端部を編み糸の幅方向内方に向けて互いに対向されるようにさらに前記両端部の端縁の少なくとも一方と前記膨張黒鉛テープの中間部との間に離隔空間が形成されるように作成したものを使用して、前記膨張黒鉛テープが幅方向に縮まるように折り曲げられており、かつ、この折り曲げられた膨張黒鉛テープの幅方向の両端部が折り返された編み糸が備えられていることを特徴とする。
【０００７】
また、請求項２に記載の発明に係るグランドパッキンは、ひねり加工したグランドパッキン中の複数本の編み糸において、それらの編み糸の中には、外周全体を露出させた膨張黒鉛テープの内部に長手方向に向け補強線材が埋設されており、かつ、前記膨張黒鉛テープは、前記膨張黒鉛テープの幅方向の中間部を残して幅方向の両端部を編み糸の幅方向内方に向けて互いに対向されるようにさらに前記両端部の端縁の少なくとも一方と前記膨張黒鉛テープの中間部との間に離隔空間が形成されるように作成したものを使用して、前記膨張黒鉛テープが幅方向に縮まるように折り曲げられており、かつこの折り曲げられた膨張黒鉛テープの幅方向の両端部が折り返されている編み糸が備えられていることを特徴とする。
【０００８】
【０００９】
【００１０】
請求項１、２に記載の発明に係るグランドパッキンによれば、そのグランドパッキン中の編み糸において、幅方向に縮まるように折り曲げられた張黒鉛テープがさらにその幅方向の両端部において折り返された編み糸が備えられていることにより、仮にその膨張黒鉛テープの幅方向の端部に亀裂が発生していても、その亀裂が大きい場合には、折られて縮小される状態となり、また、小さい亀裂の場合には、折り曲げられた膨張黒鉛テープの外側片部に向かい合う状態になり、亀裂がそのまま真っ直ぐに外へ伸ばされた状態で露出しないので、グランドパッキンのシ−ル性能の悪化を抑制することができる。
また、上記請求項１、２に記載のグランドパッキンは、製造後に所定寸法に圧縮成形したり、リング状にするために圧縮成形したりする場合があり、また、装置にセットとしてシールする時には、強い締め付け力を受けるが、このようなときにも、上記のような編み糸を備えていれば、膨張黒鉛テープの幅方向の両端部が折り返されているため、亀裂が発生し難くなり、また、亀裂が発生している場合は、亀裂の拡大を抑制することができる。
さらに、上記のような編み糸をグランドパッキン中に増やせば増やすほど、膨張黒鉛テープの幅方向の端部の亀裂の影響は少なくなり、この亀裂によるグランドパッキンのシ−ル性能の悪化をより効果的に抑制することができる。
【００１１】
【発明の効果】
【００１２】
本発明のグランドパッキンによれば、膨張黒鉛テープの幅方向の端部に発生している或いはこれから発生する亀裂により、グランドパッキンのシ−ル性能が悪化するという事態を抑制することができ、信頼性の高い安定したシ−ル性能を発揮するグランドパッキンを提供できるものである。
【発明を実施するための最良の形態】
【００１３】
以下、本発明の好適な実施の形態を図面に基づいて説明する。図１は請求項１に記載の発明に係る編組グランドパッキンの実施形態である一例の概略外観斜視図であり、また、図２は請求項２に記載の発明に係るひねり加工されたグランドパッキンの実施形態である一例の概略外観斜視図である。
【００１４】
これら編組グランドパッキン１及びひねり加工されたグランドパッキン２において、それらを構成する編み糸１０の中の少なくとも１本、好ましくは半数以上、さらに好ましくは全部について、図３に示すように、膨張黒鉛テープ３０は、膨張黒鉛テープ３０の幅方向の中間部３０Ａを残して幅方向の両端部３１、３１を編み糸の幅方向内方に向けて互いに対向されるようにさらに前記両端部３１、３１の端縁と前記膨張黒鉛テープ３０の中間部３０Ａとの間に離隔空間３１Ａが形成されるように作成したものを使用して、所定幅の膨張黒鉛テープ３０が幅方向に縮まるように折り曲げられ、この折り曲げられた膨張黒鉛テープ３０の幅方向の両端部３１、３１が、その膨張黒鉛テープ３０の中に向くように折り返され、その外周全体が接着剤や融着材を使用することなく網目を有したニット編み又は編組体よりなる補強線材４０のみで被覆された編み糸１０Ａが備えられている。
【００１５】
この編み糸１０Ａの補強線材４０としては、ステンレス、インコネル、モネルなどの金属線、木綿、レーヨン、フエノール、アラミド、ＰＢＯ、ＰＢＩ、ＰＴＦＥ、ＰＰＳ、ＰＥＥＫなどの有機繊維、炭素繊維、セラミック繊維などの無機繊維などが適宜使用できる。
【００１６】
また、上記グランドパッキン１，２中において、上記編み糸１０Ａとしなかった編み糸については、膨張黒鉛または膨張黒鉛テープを用いた適宜の編み糸を使用することができるが、例えば、図７（Ａ）（Ｂ）（Ｃ）（Ｄ）（Ｅ）に示すように、所定幅の膨張黒鉛テープ３０を幅方向に縮まるように折り曲げ、この折り曲げた膨張黒鉛テープ３０の外周全体を接着剤や融着材を使用することなく網目を有したニット編み又は編組体よりなる補強線材４０のみで被覆したものなどが同タイプとなるので好ましい。
【００１７】
このような編み糸１０Ａが編組グランドパッキン１中に又はひねり加工されたグランドパッキン２中に備えられていれば、図４に示すように、その膨張黒鉛テープ３０の幅方向の端部３１、３１に亀裂３２、３２が発生していても、その亀裂３２、３２は、折り曲げられた膨張黒鉛テープ３０の外側片部３３の中（内側）にありかつ外側片部３３と向かい合う状態になり、図５のように、亀裂３２、３２がそのまま真っ直ぐに外へ露出する場合に比べて、グランドパッキン１、２のシ−ル性能の悪化を抑制することができる。
【００１８】
また、膨張黒鉛テープ３０の端部３１、３１の亀裂３２、３２が、その端部３１、３１を乗り越えて外側片部３３に至るかなり大きい場合にも、端部３１、３１の折り返しによって、その亀裂３２、３２が例えば２つに折られて縮小される状態になるので、グランドパッキン１、２のシ−ル性能の悪化を抑制することができる。
【００１９】
さらに、グランドパッキン１、２の製造後に、これを所定寸法に圧縮成形したり、リングに圧縮成形したり、或いは、シールの時に大きな締め付け力を受けたりした場合にも、上記のような編み糸１０Ａを備えていれば、膨張黒鉛テープ３０の幅方向の端部３１、３１が折り返されているため、亀裂の発生や亀裂の拡大を抑制することができる。
【００２０】
なお、上記のような編み糸１０Ａをグランドパッキン１、２中に増やせば増やすほど、
膨張黒鉛テープ３０の幅方向の端部３１、３１の亀裂の影響は少なくなり、この亀裂によ
るグランドパッキン１、２のシ−ル性能の悪化をより効果的に抑制することができるのは
勿論である。
【００２１】
上記実施形態では、グランドパッキン１、２中に少なくとも１本以上、上記編み糸１０Ａとする場合を示したが、勿論、上記編み糸１０Ａの形態に限らず、例えば図６（Ａ）（Ｂ）（Ｃ）に示すような編み糸１０Ａの形態であってもよく、また、膨張黒鉛テープ３０を幅方向に縮まるように折り曲げる折り曲げ方、及び膨張黒鉛テープ３０の幅方向の端部３１、３１を折り返す折り返し方は、それ以外の形態であってもよい。なお、図６（Ａ）（Ｂ）（Ｃ）の各編み糸１０Ａに対しては、上記実施形態の編み糸１０Ａと対応する部分に同一符号を付すことによって説明を省略する。
【００２２】
【００２３】
さらに、上記図４及び図６に例示の各実施形態では、網目を有したニット編み又は編組体よりなる被覆の補強線材４０を使用する場合を示したが、この補強線材４０に代えて、本発明の実施形態として示す図８のように外周全体を露出させた膨張黒鉛テープ３０の内部に所定間隔をあけて長手方向に向け複数本を埋設した補強線材４１及び折り曲げた膨張黒鉛テープ３０の間に長手方向に向け配置させた補強線材４２の少なくともいずれか一方を採用した編み糸１０Ａ、或いは、上記補強線材４０及び上記補強線材４１、４２の全部を組み合わせた編み糸１０Ａ、或いは補強線材４０といずれかの補強線材４１、４２とを組み合わせた編み糸１０Ａであってもよい。
【００２４】
なお、上記補強線材４１、４２の材質としては、補強線材４０と同様、ステンレス、インコネル、モネルなどの金属線、木綿、レーヨン、フエノール、アラミド、ＰＢＯ、ＰＢＩ、ＰＴＦＥ、ＰＰＳ、ＰＥＥＫなどの有機繊維、炭素繊維、セラミック繊維などの無機繊維などが使用でき、また、場合によっては、それら補強線材４１、４２と膨張黒鉛テープ３０とを接着剤を介在させて互いに固定させてもよい。
【００２５】
また、上記図４及び図６に例示の実施形態及び図８に例示の実施形態では、膨張黒鉛テープ３０が一枚の場合を示したが、勿論、一枚に限らず、膨張黒鉛テープ３０を複数枚重ねて本発明を適用することもできるものである。
【００２６】
【００２７】
【００２８】
【００２９】
【００３０】
【００３１】
【００３２】
【００３３】
【００３４】
【００３５】
【００３６】
【００３７】
【００３８】
【００３９】
【００４０】
さらに、上記実施形態に共通していえることであるが、図１、２に例示した編組グランドパッキン１及びひねり加工のグランドパッキン２に限定されるものではなく、中芯なし或いは中芯入りの種々の編組グランドパッキン及びひねり加工のグランドパッキンに適用することができ、また、本発明の特徴的なグランドパッキン中の編み糸の形成時期としては、編組前またはひねり加工前に限らず、編組またはひねり加工時であってもよく、さらに、グランドパッキンが後に所定寸法に圧縮成形されたり、リング状に成形されたり、或いは装置にセットされた時に強い締め付け力を受けたりして、膨張黒鉛テープ３０の幅方向の端部に亀裂の発生や亀裂の拡大が起こることを抑制したい場合は、その圧縮力が作用する時に折り返しを完成させるようにして亀裂の発生や亀裂の拡大を抑制するようにしてもよい。
【図面の簡単な説明】
【００４１】
【図１】請求項１に記載の発明に係る編組グランドパッキンの実施形態の一例を示す概略外観斜視図である。
【図２】請求項２に記載の発明に係るひねり加工されたグランドパッキンの実施形態の一例を示す概略外観斜視図である。
【図３】請求項１に記載の発明に係るグランドパッキンの実施形態であるグランドパッキン中の編み糸を示す部分拡大斜視図である。
【図４】図３の編み糸の断面図である。
【図５】比較例の編み糸の断面図である。
【図６】（Ａ）〜（Ｃ）は請求項１に記載の発明に係るグランドパッキンの実施形態であるグランドパッキン中の編み糸の他の実施形態を示す断面図である。
【図７】（Ａ）〜（Ｅ）は請求項１に記載の発明に係るグランドパッキンの実施形態    であるグランドパッキンの編み糸と組み合わせる編み糸を示す断面図である。
【図８】請求項２に記載の発明に係るグランドパッキン中の編み糸の実施形態を示す断面図である。
【符号の説明】
【００４２】
１      編組グランドパッキン
２      ひねり加工されたグランドパッキン
１０    グランドパッキン中の編み糸
１０Ａ  膨張黒鉛テープの両端部が折り返された編み糸
２０    グランドパッキン中の編み糸
２０Ａ  膨張黒鉛テープの外側の端部が折り返された編み糸
３０    膨張黒鉛テープ
３０Ａ 膨張黒鉛テープの幅方向の中間部
３１    膨張黒鉛テープの幅方向の端部
３１Ａ 離隔空間
３２    亀裂
３３    膨張黒鉛テープの外側片部
４０    補強線材
４１    補強線材
４２    補強線材
【図１】
0004759530.tif 000002
【図２】
0004759530.tif 000003
【図３】
0004759530.tif 000004
【図４】
0004759530.tif 000005
【図５】
0004759530.tif 000006
【図６】
0004759530.tif 000007
【図７】
0004759530.tif 000008
【図８】
0004759530.tif 000009